(57)【特許請求の範囲】
【請求項１】
洗浄液を供給する配管ホースが配設されると共に、前記配管ホースが接続され洗浄液を払拭面へ噴出するウォッシャノズルを備えたワイパアームにおいて、
前記ワイパアームは、一対の側壁及び上壁を有して払拭面方向に開口する断面コ字状を成し、
前記一対の側壁及び前記ウォッシャノズルには互いに嵌合し合う凹凸部が設けられ、
前記ウォッシャノズルは、前記ワイパアーム内部の前記一対の側壁の間に配置され、前記凹凸部が互いに嵌合することで前記ワイパアームに保持されると共に、嵌合された前記凹凸部の凹部と凸部を互いに押し付けるべく前記ワイパアームの上壁裏面に弾性押圧状態で接触する弾性押圧片を一体に有する、
ことを特徴とするワイパアーム。
【請求項２】
前記凹凸部は、互いに嵌合した状態において前記ウォッシャノズルを前記ワイパアームに対して回転不能に保持する非円形または非円環形の断面形状に形成されている、
ことを特徴とする請求項１記載のワイパアーム。
【請求項３】
前記凹凸部のうち凸部はテーパ形の断面形状に形成され、その側壁部分が前記凹部の開口周縁部分に線接触状態で嵌合する、
ことを特徴とする請求項１記載のワイパアーム。
【請求項４】
前記ウォッシャノズルは、前記一対の側壁の少なくとも一方に弾性押圧状態で接触する押圧片を一体に有する、
ことを特徴とする請求項１乃至請求項３の何れかに記載のワイパアーム。
【請求項５】
前記弾性押圧片は、前記凹凸部による嵌合保持部分を軸として互いに反対回転方向に押圧し合う一対を有する、ことを特徴とする請求項１乃至請求項４の何れかに記載のワイパアーム。
【請求項６】
洗浄液を供給する配管ホースが配設されると共に、前記配管ホースが接続され洗浄液を払拭面へ噴出するウォッシャノズルを備えたワイパアームにおいて、
前記ワイパアームは、一対の側壁及び上壁を有して払拭面方向に開口する断面コ字状を成し、
前記一対の側壁の内側には、凹部と、凹部よりも前記側壁部の端部側に該端部に開放する案内スロープ溝とが設けられ、
前記ウォッシャノズルは、前記ワイパアーム内部の前記一対の側壁の間に配置されると共に、前記開口から前記案内スロープ溝に案内されて前記凹部に嵌合された凸部を有し、且つ、前記凸部と前記凹部が互いに嵌合することで前記ワイパアームに保持されている、
ことを特徴とするワイパアーム。
【発明の詳細な説明】
【０００１】
【発明の属する技術分野】
本発明は自動車のウインドシールドガラス等を払拭するワイパ装置におけるワイパアームに係り、特に洗浄液を払拭面へ噴出するウォッシャノズルを備えたワイパアームに関する。
【０００２】
【従来の技術】
自動車のウインドシールドガラス等を払拭する車両用ワイパ装置は、ワイパアームとこのワイパアームに保持されたワイパブレードとによって構成されている。
【０００３】
ワイパアームは、アームヘッドの一端部がピボット軸に固定されており、アームヘッドの他端部にはリテーナが所定角度回動可能に支軸を介して連結されている。これらアームヘッドとリテーナとの間にはスプリングが取り付けられており、常にリテーナをウインドシールドガラス等の払拭面の方向へ付勢している。リテーナの先端部には、アームピースが固着されている。アームピースの先端部は略Ｕ字状に屈曲されたフックとなっており、ワイパブレードを連結保持している。一方、ワイパブレードは、払拭面に接触して払拭するブレードラバーと、このブレードラバーを保持する複数の保持レバーとによって構成されている。
【０００４】
この車両用ワイパ装置の作動時には、ワイパアーム及びワイパブレードが往復回動することにより、ブレードラバーがウインドシールドガラス面に密着しながら移動して雨滴を払拭する。
【０００５】
ところで、従来より、特にガラス面が大きく車両のウォッシャノズルから噴出される洗浄液の着水ポイントまでの距離が遠い場合、噴出される洗浄液をワイパブレードで払拭される目的ポイントにより確実に着水させるため、ワイパアームにウォッシャノズルを設けて洗浄液を噴出するようにしたウォッシャノズル付きのワイパアームが知られている（一例として、実開平６−３３７６３号公報）。
【０００６】
前記公報に示されたワイパアームにおいては、ワイパブレードで払拭される払拭面の目的ポイントに洗浄液を確実に着水させることができる。
【０００７】
しかしながら、前記公報に示された如き従来のウォッシャノズル付きのワイパアームでは、このワイパアームを構成するアームピースにウォッシャノズルのボディ部分をネジ止めや溶着によって固定したり、あるいはクランプ等の特別構造によって固定する構成となっており、ウォッシャノズルが通常はワイパアーム（アームピース）の外部（払拭面側）に突出して設けられているので、外観見栄え（デザイン性）が劣るだけでなく、払拭面に堆積して氷結した雪にワイパアーム即ち外部に突出配置されたウォッシャノズルが衝突すると損傷する恐れがある。
特に、このようなウォッシャノズルは通常は樹脂製であるため、前記損傷防止のための対策は必要である。
【０００８】
【発明が解決しようとする課題】
本発明は上記事実を考慮し、外観見栄え（デザイン性）が向上し、しかも、ワイパアームに設けられたウォッシャノズルの損傷をも防止することができるワイパアームを得ることが目的である。
【０００９】
【課題を解決するための手段】
請求項１に係る発明のワイパアームは、洗浄液を供給する配管ホースが配設されると共に、前記配管ホースが接続され洗浄液を払拭面へ噴出するウォッシャノズルを備えたワイパアームにおいて、前記ワイパアームは、一対の側壁及び上壁を有して払拭面方向に開口する断面コ字状を成し、前記一対の側壁及び前記ウォッシャノズルには互いに嵌合し合う凹凸部が設けられ、前記ウォッシャノズルは、前記ワイパアーム内部の前記一対の側壁の間に配置され、前記凹凸部が互いに嵌合することで前記ワイパアームに保持されると共に、嵌合された前記凹凸部の凹部と凸部を互いに押し付けるべく前記ワイパアームの上壁裏面に弾性押圧状態で接触する弾性押圧片を一体に有する、ことを特徴としている。
【００１０】
請求項１記載のワイパアームでは、ウォッシャノズルは、払拭面方向に開口する断面コ字状のワイパアーム内部の一対の側壁の間に配置され、凹凸部が互いに嵌合することで保持される。このように、単に凹凸部を互いに嵌合させるだけで取付け固定が完了するため、ウォッシャノズルの固定を特別な別部品を要せず容易に行なうことができる。また、ウォッシャノズルは、断面コ字状のワイパアームの内部に配置されるため、外部からの見栄えが向上する。しかも、氷雪との衝突などの外力による損傷を防止できる。
【００１１】
さらに、凹凸部を予め所定位置に設けることにより、ウォッシャノズルの取付位置の位置決めを行なうことが可能になる。
また、上壁裏面に弾性押圧状態で接触する弾性押圧片をウォッシャノズルと一体に形成したので、ワイパアーム側壁高さ方向のウォッシャノズルのガタつきを防止することができる。
【００１２】
請求項２に係る発明のワイパアームは、請求項１記載のワイパアームにおいて、前記凹凸部は、互いに嵌合した状態において前記ウォッシャノズルを前記ワイパアームに対して回転不能に保持する非円形または非円環形の断面形状に形成されている、ことを特徴としている。
【００１３】
請求項２記載のワイパアームでは、凹凸部が互いに嵌合することでウォッシャノズルがワイパアームの側壁間に固定されるが、この凹凸部の形状によって嵌合だけでウォッシャノズルはワイパアームに対して回転不能に保持されるため、ウォッシャノズルの噴射口の位置ズレ（噴射方向のズレ）を防止することができる。したがって、洗浄液の着水点が振動などで意に反して変更されてしまうことを防止できる
請求項３に係る発明のワイパアームは、請求項１記載のワイパアームにおいて、前記凹凸部のうち凸部はテーパ形の断面形状に形成され、その側壁部分が前記凹部の開口周縁部分に線接触状態で嵌合する、ことを特徴としている。
【００１４】
例えば、ウォッシャノズルが樹脂材によって製造されている場合等においては製造過程における樹脂材の硬化による所謂「ヒケ」などで、ワイパアームの側壁とウォッシャノズルとの間で寸法誤差が生じ、ウォッシャノズルをワイパアームに取り付けた際にウォッシャノズルにガタつきを生じる恐れがある。この点、請求項３記載のワイパアームでは、凹凸部のうち凸部はテーパ形の断面形状に形成されその側壁部分が凹部の開口周縁部分に線接触状態で嵌合するため、仮に前記寸法誤差があっても、特別な部品を要せず装着するだけで側壁との間の（幅方向の）ウォッシャノズルのガタつきを防止することができ、しかもこれと同時に、ウォッシャノズルのワイパアーム側壁高さ方向のガタつきをも防止することができる。
【００１５】
請求項４に係る発明のワイパアームは、請求項１乃至請求項３の何れかに記載のワイパアームにおいて、前記ウォッシャノズルは、前記一対の側壁の少なくとも一方に弾性押圧状態で接触する押圧片を一体に有する、ことを特徴としている。
【００１６】
請求項４記載のワイパアームでは、一対の側壁の少なくとも一方に弾性押圧状態で接触する押圧片をウォッシャノズルと一体に形成したので、仮に前述の如き寸法誤差があっても、特別な部品を要せず装着するだけで側壁との間のウォッシャノズルのガタつきを防止することができる。
【００１９】
請求項５に係る発明のワイパアームは、請求項１乃至請求項４の何れかに記載のワイパアームにおいて、前記弾性押圧片は、前記凹凸部による嵌合保持部分を軸として互いに反対回転方向に押圧し合う一対を有する、ことを特徴としている。
【００２０】
請求項５記載のワイパアームでは、凹凸部による嵌合保持部分を軸として互いに反対回転方向に押圧し合う一対の弾性押圧片をウォッシャノズルと一体に形成したので、この一対の弾性押圧片によってウォッシャノズルは前記軸（凹凸部による嵌合保持部分）を中心に回動しようとする力が釣合い、ウォッシャノズルの回動を阻止させつつもウォッシャノズルのワイパアーム側壁高さ方向のガタつきをも防止することができる。
【００２１】
請求項６に係る発明のワイパアームは、洗浄液を供給する配管ホースが配設されると共に、前記配管ホースが接続され洗浄液を払拭面へ噴出するウォッシャノズルを備えたワイパアームにおいて、前記ワイパアームは、一対の側壁及び上壁を有して払拭面方向に開口する断面コ字状を成し、前記一対の側壁の内側には、凹部と、凹部よりも前記側壁部の端部側に該端部に開放する案内スロープ溝とが設けられ、前記ウォッシャノズルは、前記ワイパアーム内部の前記一対の側壁の間に配置されると共に、前記開口から前記案内スロープ溝に案内されて前記凹部に嵌合された凸部を有し、且つ、前記凸部と前記凹部が互いに嵌合することで前記ワイパアームに保持されている、ことを特徴としている。
【００２３】
【発明の実施の形態】
図１には本発明の第１の実施の形態に係るワイパアーム１０の全体構成が裏面図にて示されている。また、図２にはこのワイパアーム１０の主要部分の構成が斜視図にて示されている。
【００２４】
ワイパアーム１０は、アームヘッド１２及びリテーナ１４を備えている。アームヘッド１２は、その一端部が、車体に設けられた回動軸としてのピボットシャフト(図示省略）に固定されており、常にピボットシャフトと共に回動する。アームヘッド１２の裏面側一端部には、前記ピボットシャフトの周囲を囲繞するスカート部１６が形成されており、また、裏面側中央部には長手方向に沿って波状に長孔１８が形成されており後述する配管ホース４６の配索用となっている。
【００２５】
アームヘッド１２の他端部には、リテーナ１４がウインドシールドガラスに接近及び離間する方向に所定角度回動可能に支軸Ｑを介して連結されている。このリテーナ１４は、一対の側壁２２及び上壁２４を有してその裏面側が下方（払拭面方向）へ向けて開口する断面コ字状に形成されている。また、リテーナ１４の一対の側壁２２の長手方向中間部分には、後述する中間ウォッシャノズル３４に対応して、楕円形（長円形）の凹部２６が設けられており、さらに、リテーナ１４の一対の側壁２２の長手方向先端部分には、同様に後述する先端ウォッシャノズル３６に対応して、楕円形（長円形）の凹部２８が設けられている。
【００２６】
さらに、リテーナ１４とアームヘッド１２との間には、スプリング３０が掛け渡されている。このスプリング３０は所謂引張りコイルスプリングとされており、そのコイル部３０Ａがリテーナ１４の断面コ字状内に配置されて常にリテーナ１４をウインドシールドガラスの払拭面の方向へ付勢している。
【００２７】
また、リテーナ１４の先端部には、リテーナ１４と共にワイパアーム１０を構成するアームピース３２がリベットまたはリテーナの一対の側壁２２の一部によって握持されるようにカシメられて固着されている。アームピース３２の先端部は略Ｕ字状に屈曲されてフック（図示省略）となっており、ワイパブレードをクリップ部材（何れも図示省略）を介して連結保持している。
【００２８】
またさらに、上記構成のワイパアーム１０には、中間ウォッシャノズル３４及び先端ウォッシャノズル３６が設けられている。
【００２９】
図２に詳細に示す如く、中間ウォッシャノズル３４にはその側部に凸部３８が形成されており、前述したリテーナ１４の凹部２６に嵌合する。すなわち、中間ウォッシャノズル３４は、リテーナ１４内部の一対の側壁２２の間に配置され、凹部２６に対応する楕円形（長円形）の凸部３８が嵌合することで、リテーナ１４に対して回転不能に保持された構成となっている。さらに、中間ウォッシャノズル３４にはその頂部（リテーナ１４の上壁２４の側）に弾性押圧片としての一対の押圧片４０が一体に形成されている。これら一対の押圧片４０は、凸部３８に対して互いに反対方向へ向けて延出されており、リテーナ１４の上壁２４の裏面に弾性押圧状態で接触している。これにより、凹部２６及び凸部３８による中間ウォッシャノズル３４の嵌合保持部分を軸として、互いに反対回転方向に押圧し合うように構成されている。
【００３０】
この中間ウォッシャノズル３４は、導入ニップル４８から導出ニップル５０に連通する本流路と、この本流路から分岐して噴射口に連通する分流路とを有する構成となっている。
【００３１】
一方、先端ウォッシャノズル３６にも同様にその側部に凸部４２が形成されており、前述したリテーナ１４の凹部２８に嵌合する。すなわち、先端ウォッシャノズル３６は、リテーナ１４内部の一対の側壁２２の間に配置され、凹部２８に凸部４２が嵌合することで、リテーナ１４に対して回転不能に保持された構成となっている。さらに、先端ウォッシャノズル３６にはその頂部（リテーナ１４の上壁２４の側）に弾性押圧片としての一対の押圧片４４が一体に形成されている。これら一対の押圧片４４は、凸部４２に対して互いに反対方向へ向けて延出されており、リテーナ１４の上壁２４の裏面に弾性押圧状態で接触している。これにより、凹部２８及び凸部４２による先端ウォッシャノズル３６の嵌合保持部分を軸として、互いに反対回転方向に押圧し合うように構成されている。
【００３２】
以上の構成の中間ウォッシャノズル３４には、配管ホース４６の一端が連結されている。この配管ホース４６は、車体内に設けられた図示を省略したウォッシャタンクにウォッシャポンプを介して接続されており、ピボットシャフトの近傍に設けられた車両ボディのホース取出し口から車体外へ引き出され、さらに、アームヘッド１２の裏面側に導入され、長孔１８に挟持されて側壁２２内側に沿って配設されている。さらに、側壁２２内側に沿って配設された配管ホース４６は、前述したスプリング３０のコイル部を貫通してリテーナ１４先端側に導出されて中間ウォッシャノズル３４の導入ニップル４８に接続された構成となっている。さらに、中間ウォッシャノズル３４の導出ニップル５０には補助ホース５２の一端が連結されており、この補助ホース５２の他端は先端ウォッシャノズル３６の導入ニップル５４に接続されている。これにより、配管ホース４６を介して中間ウォッシャノズル３４に洗浄液を配送することができると共に、補助ホース５２を介して先端ウォッシャノズル３６に洗浄液を配送することができる構成である。
【００３３】
次に本第１の実施の形態の作用を説明する。
【００３４】
上記構成のワイパアーム１０が用いられたワイパ装置では、ピボットシャフトの回動に伴ってワイパアーム１０が往復回動することにより、ワイパブレードが往復回動してウインドシールドガラス面の雨滴等を払拭する。
【００３５】
ここで、このワイパアーム１０では、中間ウォッシャノズル３４及び先端ウォッシャノズル３６が一体に設けられているため、ワイパブレードの払拭範囲が大きくても、中間ウォッシャノズル３４及び先端ウォッシャノズル３６から噴出される洗浄液を、ワイパブレードで払拭される目的ポイントに確実に着水させることができる。
【００３６】
またここで、このワイパアーム１０では、中間ウォッシャノズル３４及び先端ウォッシャノズル３６は、払拭面方向に開口する断面コ字状のリテーナ１４内部の一対の側壁２２の間に配置され、凹部２６及び凸部３８が互いに嵌合することで中間ウォッシャノズル３４が保持されると共に、凹部２８及び凸部４２が互いに嵌合することで先端ウォッシャノズル３６が保持される。このように、単に凹部２６及び凸部３８、あるいは凹部２８及び凸部４２を互いに嵌合させるだけで取付け固定が完了するため、中間ウォッシャノズル３４及び先端ウォッシャノズル３６の固定を特別な別部品を要せず容易に行なうことができる。また、これらの中間ウォッシャノズル３４及び先端ウォッシャノズル３６は、断面コ字状のリテーナ１４の内部に配置されるため、外部からの見栄えが向上する。しかも、氷雪との衝突などの外力による損傷を防止できる。
【００３７】
また、中間ウォッシャノズル３４及び先端ウォッシャノズル３６は、凹部２６及び凸部３８、あるいは凹部２８及び凸部４２が互いに嵌合することで保持されて固定されるため、中間ウォッシャノズル３４や先端ウォッシャノズル３６をリテーナ１４に装着する際の取付位置の位置決めを行なうことができる。
【００３８】
さらに、これらの凹部２６及び凸部３８あるいは凹部２８及び凸部４２は、互いに嵌合した状態において中間ウォッシャノズル３４や先端ウォッシャノズル３６をリテーナ１４に対して回転不能に保持する楕円形（長円形）すなわち非円形または非円環形の断面形状に形成されているため、中間ウォッシャノズル３４や先端ウォッシャノズル３６の噴射口の位置ズレ（噴射方向のズレ）を防止することができる。したがって、洗浄液の着水点が振動などで意に反して変更されてしまうことを防止できる。
【００３９】
またさらに、中間ウォッシャノズル３４は、リテーナ１４の上壁２４の裏面に弾性押圧状態で接触する一対の押圧片４０を一体に有しており、また、先端ウォッシャノズル３６は同様の一対の押圧片４４を一体に有している。これら一対の押圧片４０、押圧片４４は、端部にそれぞれ突起４０Ａ、あるいは突起４４Ａを有しており、中間ウォッシャノズル３４や先端ウォッシャノズル３６をリテーナ１４の側壁２２に取り付ける際に、この突起４０Ａあるいは突起４４Ａが上壁２４の裏面に当接し、更に裏面に押圧すると押圧片４０あるいは押圧片４４が撓んで凸部３８あるいは凸部４２がそれぞれ凹部２６あるいは凹部２８に嵌合する。
このため、これらの一対の押圧片４０によって中間ウォッシャノズル３４は前記凹部２６及び凸部３８による嵌合保持部分を中心に回動しようとする力が釣合い、中間ウォッシャノズル３４の回動を阻止させつつも中間ウォッシャノズル３４がリテーナ１４高さ方向にガタつくことをも防止することができる。またこれと同様に、一対の押圧片４４によって先端ウォッシャノズル３６は前記凹部２８及び凸部４２による嵌合保持部分を中心に回動しようとする力が釣合い、先端ウォッシャノズル３６の回動を阻止させつつも先端ウォッシャノズル３６がリテーナ１４高さ方向にガタつくことをも防止することができる。
【００４０】
このように、第１の実施の形態に係るワイパアーム１０は、外観見栄え（デザイン性）が向上し、しかも、リテーナ１４に設けられた中間ウォッシャノズル３４及び先端ウォッシャノズル３６の損傷をも防止することができる。
【００４１】
なお、中間ウォッシャノズル３４や先端ウォッシャノズル３６において、一対の押圧片４０や一対の押圧片４４の一方を省略し、図３に示す如く、これに代えて単なる突起５６を設けた構成とすることもできる。この場合であっても、中間ウォッシャノズル３４あるいは先端ウォッシャノズル３６は、他方の押圧片４０または押圧片４４によって付勢され、中間ウォッシャノズル３４や先端ウォッシャノズル３６の回動を阻止させつつもリテーナ１４高さ方向にガタつくことをも防止することができる。
【００４２】
また、前述した第１の実施の形態においては、中間ウォッシャノズル３４に凸部３８が形成されリテーナ１４の側壁２２に凹部２６が設けられた構成としたが、これに限らず、中間ウォッシャノズル３４に凹部２６を形成しリテーナ１４の側壁２２に凸部３８を設ける構成としてもよい。また、先端ウォッシャノズル３６についても、同様である。
【００４３】
次に、本発明の他の実施の形態を説明する。
【００４４】
なお、前記第１の実施の形態と基本的に同一の部品には前記第１の実施の形態と同一の符号を付与しその説明を省略する。
【００４５】
図４には本発明の第２の実施の形態に係るワイパアーム６０の主要部分の構成が斜視図にて示されている。
【００４６】
ワイパアーム６０では、先端ウォッシャノズル６４が設けられている。先端ウォッシャノズル６４には、その頂部（リテーナ１４の上壁２４の側）に弾性押圧片としての押圧片６６が一体に形成されている。この押圧片６６は、先端ウォッシャノズル６４の一端側から他端側へ向けて所謂Ｕ字状に屈曲して延出されており、リテーナ１４の上壁２４の裏面に弾性押圧状態で接触している。
【００４７】
なお、中間ウォッシャノズルについても同様の構成となっており、図示及び説明を省略する。
【００４８】
上記構成のワイパアーム６０においても、中間ウォッシャノズル及び先端ウォッシャノズル６４は、前述した第１の実施の形態と同様の作用効果を有する。特に、押圧片６６を１つとしてリテーナ１４の上壁２４の裏面に弾性押圧状態で接触させたので、より小型に構成してワイパアーム６０高さ方向のガタツキを防止でき、ウォッシャノズルの配置スペースが制限された小さなスペースに配置する場合に好適である。
【００４９】
次に、図５には本発明の第３の実施の形態に係るワイパアーム７０の主要部分の構成が断面図にて示されている。
【００５０】
ワイパアーム７０では、先端ウォッシャノズル７４が設けられている。先端ウォッシャノズル７４にはその側部に断面楔形状の凸部７６が形成されており、リテーナ１４の側壁２２に設けられた断面楔形状の凹部７８に嵌合する。すなわち、先端ウォッシャノズル７４は、リテーナ１４内部の一対の側壁２２の間に配置され、凹部７８に凸部７６が嵌合することで、リテーナ１４に対して回転不能に保持された構成となっている。
【００５１】
なお、中間ウォッシャノズルについても同様の構成となっており、図示及び説明を省略する。
【００５２】
上記構成のワイパアーム７０においても、中間ウォッシャノズル及び先端ウォッシャノズル７４は、前述した第１の実施の形態と同様の作用効果を有する。特に、凸部７６が断面楔形状であると共に、凹部７８もこれに対応して断面楔形状としているので、中間ウォッシャノズルまたは先端ウォッシャノズル７４をリテーナ１４の断面コ字状の開口側から挿入する場合にこの凸部７６がリテーナ１４の一対の側壁２２を外方に徐々に撓ませつつ、側壁２２の縁部に引っ掛かることなく容易に挿入でき、組付けが容易となる。
【００５３】
なお、前述した第３の実施の形態においては、中間ウォッシャノズルや先端ウォッシャノズル７４に凸部７６が形成されリテーナ１４の側壁２２に凹部７８が設けられた構成としたが、これに限らず、図６に示す如く中間ウォッシャノズルや先端ウォッシャノズル７４に凹部７８を形成しリテーナ１４の側壁２２に凸部７６を設ける構成としてもよい。
【００５４】
次に、図７には本発明の参考例に係るワイパアーム８０の主要部分の構成が斜視図にて示されている。
【００５５】
ワイパアーム８０では、先端ウォッシャノズル８４にはその側部に断面楔形状の凸部８６が形成されており、さらに、この凸部８６に交差して案内突起８８が形成されている。これらの凸部８６と案内突起８８は全体としてＴ字形を成している。一方、リテーナ１４の一対の側壁２２の長手方向先端部分には、先端ウォッシャノズル８４の凸部８６に対応して断面楔形状の凹部９０が設けられており、さらに、この凹部９０と交差ししかも側壁２２の端部に開放され案内突起８８に対応する案内溝９２が設けられている。この案内溝９２は、先端ウォッシャノズル８４の組付け方向に沿って形成されている。
【００５６】
先端ウォッシャノズル８４は、案内突起８８が案内溝９２の開放端から挿入されこれに案内されながら組み付けられて、凹部９０に凸部８６が嵌合することで、リテーナ１４に対して回転不能に保持された構成となっている。
【００５７】
なお、中間ウォッシャノズルについても同様の構成となっており、図示及び説明を省略する。
【００５８】
上記構成のワイパアーム８０においても、中間ウォッシャノズル及び先端８４は、払拭面方向に開口する断面コ字状のリテーナ１４内部の一対の側壁２２の間に配置され、凹部９０及び凸部８６が互いに嵌合することで保持されるため、中間ウォッシャノズル及び先端ウォッシャノズル８４の固定を特別な別部品を要せず容易に行なうことができる。特にこの場合、中間ウォッシャノズル及び先端ウォッシャノズル８４は、案内突起８８が案内溝９２の開放端から挿入されこれに案内されながら組み付けられるため、組付性が一層向上する。
【００５９】
なお、この本発明の参考例においても、中間ウォッシャノズルや先端ウォッシャノズル８４に凹部９０及び案内溝９２を形成しリテーナ１４の側壁２２に凸部８６及び案内突起８８を設ける構成としてもよい。
【００６０】
さらに、凹部９０と案内溝９２とを分離して設けることができる。すなわち、図８に示す本発明の第４の実施の形態の如く、先端ウォッシャノズル８５の凸部８６に対応してリテーナ１４の一対の側壁２２に凹部９１を設けると共に、この凹部９１の直近に、側壁２２の端部に開放する案内スロープ溝９３を設ける構成としてもよい。この案内スロープ溝９３は、凹部９１（凸部８６）と略同一の幅寸法に形成されている。この場合においても、先端ウォッシャノズル８５は、凸部８６が案内スロープ溝９３の開放端から挿入されこれに案内されながら組み付けられるため、組付性が一層向上する。
【００６１】
図９には本発明の第５の実施の形態に係るワイパアーム１００の主要部分の構成が斜視図にて示されており、図１０には当該部分の断面図が示されている。
【００６２】
ワイパアーム１００では、先端ウォッシャノズル１０４には、その側部（リテーナ１４の一方の側壁２２の側）に押圧片としての押圧片１０６が一体に形成されている。この押圧片１０６は、先端ウォッシャノズル１０４の頂上角部から底部側へ向けて所謂Ｕ字状に屈曲して延出されており、リテーナ１４の一方の側壁２２に弾性押圧状態で接触する。また、この押圧片１０６には、前述した第３の実施の形態と同様の凸部７６が形成されており、リテーナ１４の側壁２２に設けられた凹部７８に嵌合する。
【００６３】
なお、中間ウォッシャノズルについても同様の構成となっており、図示及び説明を省略する。
【００６４】
上記構成のワイパアーム１００においても、前述した第１の実施の形態及び第３の実施の形態と同様の作用効果を有する。特に、中間ウォッシャノズルや先端ウォッシャノズル１０４が樹脂材によって製造されている場合等においては製造過程における樹脂材の硬化による所謂「ヒケ」などで、リテーナ１４の側壁２２と中間ウォッシャノズルや先端ウォッシャノズル１０４との間で寸法誤差が生じ、中間ウォッシャノズルや先端ウォッシャノズル１０４をリテーナ１４に取り付けた際にガタつきを生じる恐れがある。この点、本第５の実施の形態に係るワイパアーム１００では、リテーナ１４の一方の側壁２２に弾性押圧状態で接触する押圧片１０６を中間ウォッシャノズルや先端ウォッシャノズル１０４と一体に形成したので、仮に前記寸法誤差があっても、特別な部品を要せず装着するだけで側壁２２との間のガタつきを防止することができる。
【００６５】
なお、前記第５の実施の形態においては、中間ウォッシャノズルや先端ウォッシャノズル１０４の片側にのみ押圧片１０６を設けた構成としたが、これに限らず、この押圧片１０６を中間ウォッシャノズルや先端ウォッシャノズル１０４の両側に設け、リテーナ１４の両方の側壁２２に弾性押圧状態で接触するように構成してもよい。
【００６６】
また、前記第５の実施の形態においては、押圧片１０６に凸部７６を形成した構成としたが、これに限らず、図１１に示す先端ウォッシャノズル１０８の如く、押圧片１０６を凸部７６と分離独立して設ける構成としてもよい。この場合であっても、この先端ウォッシャノズル１０８は、押圧片１０６によって付勢されるため、ガタつきを防止することができる。
【００６７】
図１２には本発明の第６の実施の形態に係るワイパアーム１１０の主要部分の構成が断面図にて示されている。
【００６８】
ワイパアーム１１０では、先端ウォッシャノズル１１４は、一方の側部に、前述した第５の実施の形態に係る先端ウォッシャノズル１０４と同様の押圧片１０６が一体に形成されており、さらに、他方の側部には、凸部１１６が一体に形成されている。凸部１１６は、円錐台形（断面がテーパー状）に形成されており、リテーナ１４の側壁２２に設けられた凹部１１８に嵌合する。
【００６９】
なお、中間ウォッシャノズルについても同様の構成となっており、図示及び説明を省略する。
【００７０】
上記構成のワイパアーム１１０においても、前述した第１の実施の形態と同様の作用効果を有する。さらに、このワイパアーム１１０においては、リテーナ１４の一方の側壁２２に押圧片１０６が弾性押圧状態で接触するのみならず、凸部１１６が凹部１１８に嵌合して凹部１１８の開口周縁部分が凸部１１６の側部１１６Ａに線接触する。したがって、前述した第５の実施の形態に係るワイパアーム１００と同様に、特別な部品を要せず装着するだけで側壁２２との間の（幅方向の）ガタつきを防止することができ、しかもこれと同時に、先端ウォッシャノズル１１４のワイパアーム１１０の側壁高さ方向のガタつきをも防止することができる。
【００７１】
次に、図１３には本発明の第７の実施の形態に係るワイパアーム１２０の主要部分の構成が断面図にて示されている。
【００７２】
ワイパアーム１２０では、先端ウォッシャノズル１２４は、リテーナ１４内部の一対の側壁２２の間に配置され、一対の側壁２２に接触してこの側壁２２との緊縛力によって保持されている。
【００７３】
なお、中間ウォッシャノズルについても同様の構成となっており、図示及び説明を省略する。
【００７４】
上記構成のワイパアーム１２０においても、中間ウォッシャノズル及び先端ウォッシャノズル１２４の固定を特別な別部品を要せず容易に行なうことができる。また、これらの中間ウォッシャノズル及び先端ウォッシャノズル１２４は、断面コ字状のリテーナ１４の内部に配置されるため、外部からの見栄えが向上する。しかも、氷雪との衝突などの外力からの損傷を防止できる。
【図面の簡単な説明】
【図１】  本発明の第１の実施の形態に係るワイパアームの全体構成を示す裏面図である。
【図２】  本発明の第１の実施の形態に係るワイパアームの主要部分の構成を示す斜視図である。
【図３】  本発明の第１の実施の形態に係るワイパアームの中間ウォッシャノズルの他の例を示す斜視図である。
【図４】  本発明の第２の実施の形態に係るワイパアームの主要部分の構成を示す斜視図である。
【図５】  本発明の第３の実施の形態に係るワイパアームの主要部分の構成を示す断面図である。
【図６】  本発明の第３の実施の形態に係るワイパアームの主要部分の他の例を示す断面図である。
【図７】  本発明の参考例に係るワイパアームの主要部分の構成を示す斜視図である。
【図８】  本発明の第４の実施の形態の変形例に係るワイパアームの主要部分の構成を示す斜視図である。
【図９】  本発明の第５の実施の形態に係るワイパアームの主要部分の構成を示す斜視図である。
【図１０】  本発明の第５の実施の形態に係るワイパアームの主要部分の構成を示す断面図である。
【図１１】  本発明の第５の実施の形態に係るワイパアームの主要部分の他の例を示す斜視図である。
【図１２】  本発明の第６の実施の形態に係るワイパアームの主要部分の構成を示す断面図である。
【図１３】  本発明の第７の実施の形態に係るワイパアームの主要部分の構成を示す断面図である。
【図１】
0004580124.tif 000002
【図２】
0004580124.tif 000003
【図３】
0004580124.tif 000004
【図４】
0004580124.tif 000005
【図５】
0004580124.tif 000006
【図６】
0004580124.tif 000007
【図７】
0004580124.tif 000008
【図８】
0004580124.tif 000009
【図９】
0004580124.tif 000010
【図１０】
0004580124.tif 000011
【図１１】
0004580124.tif 000012
【図１２】
0004580124.tif 000013
【図１３】
0004580124.tif 000014